(57)【特許請求の範囲】
【請求項１】
回胴式遊技機に設けられるストップボタンスイッチユニットであって、
遊技者の操作を受け付けるストップボタンと、
前記ストップボタンの周囲に配置されたボタンパネルと、
前記ボタンパネルを前記ストップボタンに対して移動させる移動機構と、を備え、
前記移動機構は、
前記ボタンパネルを、基準位置と、該基準位置から前記ストップボタンの押下方向に退避した引き込み位置との間で移動させ、
前記押下方向に直交する方向である移動方向に沿って移動可能であり、前記押下方向および前記移動方向に対して傾斜した傾斜溝を有する可動部と、
前記可動部を移動させる駆動部と、
前記ボタンパネルに固定され、前記傾斜溝に沿って摺動する摺動ピンと、を備え、
前記傾斜溝は、前記押下方向の反対側の端部に、前記移動方向に沿って延びる延設部分を有し、前記ボタンパネルが前記基準位置にあるとき、前記摺動ピンは、前記延設部分に位置しているストップボタンスイッチユニット。
【請求項２】
前記ストップボタンの内部には、光源が設けられ、
前記ストップボタンには、前記ボタンパネルが前記基準位置から前記引き込み位置に移動することで露出する部分に、前記光源からの光を拡散させる光拡散部材が設けられている請求項１に記載のストップボタンスイッチユニット。
【請求項３】
請求項１又は２に記載のストップボタンスイッチユニットを備える回胴式遊技機。
【発明の詳細な説明】
【技術分野】
【０００１】
本発明は、ストップボタンスイッチユニットおよびこれを搭載した回胴式遊技機に関する。
【背景技術】
【０００２】
従来、スロットマシンと呼ばれるゲーム機が知られており、スロットマシンは、複数種類のシンボルが表示された複数のリールが回転し、停止したときのシンボルの揃い方およびその揃っているシンボルにより役が決定し、その役およびベット数に応じて賞を付与する。
【０００３】
リール回転の停止操作は、スロットマシンが備えるストップボタンが押下されることにより行われるのが一般的である。このストップボタンを含め、スロットマシンに設けられるボタンには、演出効果を高める工夫が色々と施されている。
【０００４】
例えば、特許文献１には、演出効果を高める目的として、ベース部の前面より突出した第１位置とベース部の前面に退避した第２位置との間で移動可能な演出ボタンが設けられた遊技機が開示されている。
【先行技術文献】
【特許文献】
【０００５】
【特許文献１】特開２０１５−１４４７０９号公報
【発明の概要】
【発明が解決しようとする課題】
【０００６】
しかしながら、特許文献１の演出ボタンをスロットマシンのリール回転の停止を指示するためのストップボタンには適用できない。特許文献１の演出ボタンの構成は、第１位置と第２位置とでストローク長が変わるので、押下するタイミングにズレが生じ、これにより遊技に影響を与えるため、規則上許可されていないためである。
【０００７】
本発明は、前記の問題点に鑑みてなされたものであり、その目的は、遊技に影響を与えることなく、遊技者の注意を惹く演出が可能なストップボタンスイッチユニットおよび回胴式遊技機を実現することにある。
【課題を解決するための手段】
【０００８】
上記の課題を解決するために、本発明のストップボタンスイッチユニットは、回胴式遊技機に設けられるストップボタンスイッチユニットであって、遊技者の操作を受け付けるストップボタンと、前記ストップボタンが押下可能に設けられたボタンパネル部とを備え、前記ボタンパネル部は、前記ストップボタンの周囲に配置されたボタンパネルと、前記ボタンパネルを前記ストップボタンに対して移動させる移動機構とを備える。
【０００９】
上記の構成によれば、ストップボタンを移動させずボタンパネルを移動させることにより、ストップボタンスイッチユニットの外観を変更させる演出を行うので、ストップボタンの押下操作に影響を与えることがない。したがって、遊技に影響を与えることなく、遊技者の注意を惹く演出が可能なストップボタンスイッチユニットを提供することができる。
【００１０】
本発明のストップボタンスイッチユニットにおいて、前記移動機構は、前記ボタンパネルを、基準位置と、該基準位置から前記ストップボタンの押下方向に退避した引き込み位置との間で移動させる。
【００１１】
上記の構成によれば、ストップボタンを移動させずにストップボタンが飛び出したかのような印象を遊技者に与えることができ、演出効果を高めることができる。
【００１２】
本発明のストップボタンスイッチユニットにおいて、前記移動機構は、前記押下方向に直交する方向である移動方向に沿って移動可能であり、前記押下方向および前記移動方向に対して傾斜した傾斜溝を有する可動部と、前記可動部を移動させる駆動部と、前記ボタンパネルに固定され、前記傾斜溝に沿って摺動する摺動ピンとを備える。
【００１３】
上記の構成によれば、駆動部を駆動させて可動部を移動させることにより、摺動ピンは傾斜溝に沿って摺動することになる。このとき、傾斜溝が前記押下方向および前記移動方向に対して傾斜しているため、摺動ピンは、可動部の移動位置によって押下方向の位置も変化する。そのため、摺動ピンが固定されているボタンパネルを、基準位置から引き込み位置まで移動させることができる。
【００１４】
また、本発明のストップボタンスイッチユニットにおいて、前記傾斜溝は、前記押下方向の反対側の端部に、前記移動方向に沿って延びる延設部分を有し、前記ボタンパネルが前記基準位置にあるとき、前記摺動ピンは、前記延設部分に位置している。
【００１５】
上記の構成によれば、ボタンパネルが基準位置に位置するときに、傾斜溝の延設部分に摺動ピンが位置することにより、ボタンパネルに前記押下方向の力が加わったとしても、ボタンパネルに固定された摺動ピンが延設部分の溝の壁に当接し、ボタンパネルの移動を規制することができる。
【００１６】
また、本発明のストップボタンスイッチユニットにおいて、前記ストップボタンの内部には、光源が設けられ、前記ストップボタンには、前記ボタンパネルが前記基準位置から前記引き込み位置に移動することで露出する部分に、前記光源からの光を拡散させる光拡散部材が設けられている。
【００１７】
上記構成によれば、ボタンパネルが引き込み位置にあるときに、さらに演出効果を高めることができる。
【００１８】
また、上記課題を解決するために、本発明の回胴式遊技機は、前記ストップボタンスイッチユニットを備える。
【００１９】
上記の構成によれば、遊技に影響を与えることなく、遊技者の注意を惹く演出が可能な回胴式遊技機を提供することができる。
【発明の効果】
【００２０】
本発明は、どのようなボタンにも適用可能であり、遊技者の注意を惹く演出が可能であるという効果を奏する。
【図面の簡単な説明】
【００２１】
【図１】本実施の形態における回胴式遊技機の一例としてのスロットマシンを示す外観斜視図である。
【図２】ストップボタンスイッチユニットの構成を示す斜視図である。
【図３】ストップボタンスイッチユニットの通常状態および引き込み状態を示す斜視図である。
【図４】ストップボタンスイッチユニットの通常状態および引き込み状態を示す平面図である。
【図５】ストップボタンスイッチユニットの通常状態および引き込み状態を示す断面図である。
【図６】可動板の案内溝を示す図である。
【発明を実施するための形態】
【００２２】
図面を参照しつつ、本発明の実施の形態について説明する。以下の説明では、同一の部品には同一の符号を付してある。それらの名称および機能も同じである。したがって、それらについての詳細な説明は繰り返さない。
【００２３】
図１は、本実施の形態における回胴式遊技機の一例としてのスロットマシンを示す外観斜視図である。図１に示されるように、スロットマシン（回胴式遊技機）１は、筐体の前面に配置されたリール部２と、メダル投入口４と、メダル払出口５と、リールの回転を指示するためのスタートレバー６と、清算ボタン７と、リールの停止を指示するためのストップボタンを含むストップボタンスイッチユニット１０とを備える。スロットマシン１は、メダル投入口４にメダルが投入され、プレイ終了後、プレイ中に賞を受け取れる条件を満たした場合に、メダル払出口５からメダルを排出する。
【００２４】
リール部２は、横方向に並べて設けられた複数のリールを含み、スタートレバー６の引下によるリールの回転によってプレイが開始される。リールには、複数種類のシンボルが示されており、ストップボタンそれぞれの押下により、対応するすべてのリールが停止したときのシンボルの揃い方により特定される役に応じて、遊技者は賞を受けることができる。なお、リール部２は、リールそのものを含んでもよいし、リールに相当するものが表示画面に表示される構成であってもよい。
【００２５】
図２は、ストップボタンを含むストップボタンスイッチユニットの構成を示す斜視図である。ストップボタンスイッチユニット１０は、ストップボタン２１〜２３周囲のボタンパネル部１００がプレイ中に、図３（ａ）に示される通常状態から図３（ｂ）に示される筐体表面より引っ込んだ（ストップボタン２１〜２３の押下方向に退避した）状態（以下、引き込み状態という）になることで演出効果を発揮する。
【００２６】
図４（ａ）はボタンパネル部が通常状態にあるときのストップボタンスイッチユニットの平面図であり、図４（ｂ）はボタンパネル部が引き込み状態にあるときのストップボタンスイッチユニットの平面図である。また、図５（ａ）はボタンパネル部が通常状態にあるときのストップボタンスイッチユニットの断面図であり、図５（ｂ）はボタンパネルが引き込み状態にあるときのストップボタンスイッチユニットの断面図である。
【００２７】
図４（ａ），（ｂ）および図５（ａ），（ｂ）に示されるように、ストップボタンスイッチユニット１０は、ストップボタン２１〜２３、ボタンパネル部１００およびスライド機構（移動機構）２００を含む。
【００２８】
ボタンパネル部１００は、ストップボタン２１〜２３の周囲に配置されたボタンパネル１１０と、パネル本体１２０とを含み、パネル本体１２０は、図示しないビス等でスロットマシン１の筐体に固定される。パネル本体１２０には間隔を空けて横並びに３つのストップボタン２１〜２３が摺動可能に嵌め込まれる。また、パネル本体１２０は、ストップボタン２１〜２３が嵌め込まれる位置に対応して、光源１２１が設けられる。また、パネル本体１２０の前面側には、ストップボタン２１〜２３それぞれの間に挿入孔１２０ａが設けられている。
【００２９】
ストップボタン２１〜２３は、押下方向を軸とした、前面側の端部が閉じられた円筒形状であり、光源１２１からの光を拡散するために、周面に拡散リング（光拡散部材）を含む。
【００３０】
ボタンパネル１１０は、パネル本体１２０を前面側からカバーする。ボタンパネル１１０には、ストップボタン２１〜２３が配される位置に対応して、３つの開口が設けられている。また、ボタンパネル１１０の背面側には、パネル本体１２０に設けられた挿入孔１２０ａに対してスライド可能に挿入される突起１１０ａが設けられている。ボタンパネル１１０は、挿入孔１２０ａに対して突起１１０ａがスライドすることにより、図４の（ａ）に示されるようにボタンパネル１１０の前面とストップボタン２１〜２３の前面とが略同じ高さになる基準位置と、図４の（ｂ）に示されるように基準位置からストップボタン２１〜２３の押下方向に退避してストップボタン２１〜２３の周面の少なくとも一部が露出状態となる引き込み位置との間で移動可能となる。パネル本体１２０の挿入孔１２０ａとボタンパネル１１０の突起１１０ａの間にはコイルバネ１３０が配置され、コイルバネ１３０がボタンパネル１１０を前面側に付勢した状態で、パネル本体１２０にボタンパネル１１０が設けられる。
【００３１】
スライド機構（移動機構）２００は、ボタンパネル１１０をストップボタン２１〜２３に対して移動させる機構であり、可動板（可動部）２１０、ソレノイド２５０、コイルバネ２６０およびソレノイド保持板２４０を含む。
【００３２】
可動板２１０は、ストップボタン２１〜２３の押下方向に直交する方向である移動方向に沿って移動可能であり、本体板２１１と連結板２１５と接続部２１９とを含む。本実施形態では、移動方向は、ストップボタン２１〜２３の配列方向（以下、横方向という）と一致している。本体板２１１は、移動方向（つまり横方向）を長手方向とし、ストップボタン２１〜２３の押下方向（以下、奥行方向という）に平行な板状体であり、パネル本体１２０の上面側に配置される。連結板２１５は、奥行方向に沿うように配置され、本体板２１１と略Ｌ字形状を成すように本体板２１１の一端に固定されている。接続部２１９は、本体板２１１および連結板２１５と略Ｃ字形状を成すように連結板２１５に固定される。
【００３３】
本体板２１１には、パネル本体１２０に対してボタンパネル１１０を奥行方向に可動させるために案内溝が設けられている。案内溝は、横方向に、所定間隔で設けられた３つの横溝２１２と、奥行方向に沿って各横溝２１２に並設された３つの傾斜溝２１４とを含む。
【００３４】
横溝２１２は、奥行方向に直交する方向（ここでは、ストップボタン２１〜２３の配列方向（横方向））に沿って延びる溝である。
【００３５】
傾斜溝２１４は、図６にも示されるように、奥行方向および可動板２１０の移動方向（横方向）に対して傾斜した斜溝部分（傾斜部分）２１４ａと、斜溝部分２１４ａにおける前面側の端部から、可動板２１０の移動方向（横方向）に対して平行であり、かつ、斜溝部分２１４ａにおける背面側の端部から離れる方向に延びる横溝部分（延設部分）２１４ｂとを含む。言い換えると、傾斜溝２１４は、可動板２１０の移動方向（横方向）に延びる横溝部分２１４ｂと、横溝部分２１４ｂの一方の端部から奥行方向に向かって傾斜して延びる斜溝部分２１４ａとで構成される。そして、横溝２１２における両端間の横方向の距離と、傾斜溝２１４における両端間の横方向の距離とは略一致している。
【００３６】
横溝２１２には固定ピン２２０が貫通されている。固定ピン２２０は、本体板２１１の下面側に配置されるソレノイド保持板２４０に固定されている。後述するように、ソレノイド保持板２４０は、スロットマシン１の筐体に固定されたパネル本体１２０に固定されている。そのため、固定ピン２２０は定位置で移動しない。また、固定ピン２２０の直径は、横溝２１２の幅より僅かに小さい。これにより、可動板２１０は、固定ピン２２０によって奥行方向への移動が規制され、横溝２１２の延びる方向である上記の移動方向（奥行方向に直交する方向）に沿って、横溝２１２の長さ分だけ移動（スライド）することができる。
【００３７】
一方、傾斜溝２１４には摺動ピン２３０が貫通されている。摺動ピン２３０は、ボタンパネル１１０の上面の取付部に固定される。また、摺動ピン２３０の直径は、傾斜溝２１４の幅より僅かに小さい。そのため、可動板２１０が横方向に移動するとき、摺動ピン２３０は、傾斜溝２１４に沿って摺動する。このとき、摺動ピン２３０が固定されているボタンパネル１１０も摺動ピン２３０の動きに合わせて移動することになる。
【００３８】
なお、図４に示されるように、固定ピン２２０が横溝２１２における横方向の一方側（例えば矢印Ａ側）の端部に位置しているとき、摺動ピン２３０は、傾斜溝２１４における横方向の同じ側の端部に位置するように、ボタンパネル１１０に固定される。
【００３９】
また、ボタンパネル部１００が通常状態にあるとき、摺動ピン２３０は、傾斜溝２１４における横溝部分２１４ｂ側（図４の（ａ）では矢印Ａ側）の端部に位置している。そのため、ボタンパネル部１００が通常状態にあるとき、ボタンパネル１１０に奥行方向の力が加わったとしても、ボタンパネル１１０に固定された摺動ピン２３０が、横溝部分２１４ｂの背面側にある奥行方向に直交する壁面に当接し、ボタンパネル１１０の移動が規制される。
【００４０】
ソレノイド（駆動部）２５０は、プランジャ２５０ａの周囲にバネ受け部２５０ｂを有し、接続部２１９のバネ受け部２１９ａとの間にコイルバネ２６０が配置され、コイルバネ２６０は接続部２１９をソレノイド２５０から離れる方向に付勢している。ソレノイド２５０はソレノイド保持板２４０に保持されており、ソレノイド保持板２４０はパネル本体１２０に固定されている。
【００４１】
次に、ソレノイド２５０の駆動によるボタンパネル１１０の動作について、図４を参照しながら説明する。
【００４２】
図４の（ａ）に示されるように、ソレノイド２５０が非通電時には、コイルバネ２６０の弾性力により、可動板２１０は、ソレノイド２５０から離れる方向に付勢され、本体板２１１に形成された横溝２１２の右側壁面が固定ピン２２０に当接する位置にある。このとき、摺動ピン２３０は、傾斜溝２１４における横溝部分２１４ｂ側（矢印Ａ側）の端部に位置している。上述したように、傾斜溝２１４における横溝部分２１４ｂは、傾斜溝２１４の前面側に位置しているため、摺動ピン２３０が固定されたボタンパネル１１０も最も前面側の基準位置に位置することになる。
【００４３】
ボタンパネル１１０が基準位置にあるときにソレノイド２５０に通電すると、ソレノイド２５０は、磁力によりプランジャ２５０ａを吸引する。このとき、可動板２１０は、固定ピン２２０が貫通された横溝２１２の方向（つまり横方向）に沿って、コイルバネ２６０の付勢方向とは反対側（矢印Ａ側）へスライドする。これにより、傾斜溝２１４に貫通された摺動ピン２３０は、傾斜溝２１４を摺動し、奥行方向へ移動する。その結果、摺動ピン２３０が固定されたボタンパネル１１０は、コイルバネ１３０の付勢方向と反対方向に、引き込み位置まで移動し、ストップボタン２１〜２３の周面の一部が露出する（図４の（ｂ）参照）。これにより、図３の（ｂ）に示されるように、ストップボタン２１〜２３がボタンパネル１１０から突き出たような外観に変化することで演出効果を高めることができる。また、ストップボタン２１〜２３における、ボタンパネル１１０が基準位置から引き込み位置に移動することで露出する周面部分に、光源１２１からの光を拡散するための拡散リングが配置されているため、当該拡散リングからの光により演出効果をさらに高めることができる。ボタンパネル１１０が基準位置から引き込み位置まで移動する際、ストップボタン２１〜２３自体は移動していないため、ストップボタン２１〜２３に対する押込操作におけるストローク長は変化せず、遊技への直接的な影響はない。
【００４４】
また、ソレノイド２５０を通電状態から非通電状態に変化させると、プランジャ２５０ａの吸引を解消して、コイルバネ２６０およびコイルバネ１３０の復帰により可動板２１０を横方向に沿って、左側へスライドする。これにより、傾斜溝２１４を貫通する摺動ピン２３０は、傾斜溝２１４の前面側の端部まで移動することで、ボタンパネル１１０の位置が基準位置となり、ストップボタン２１〜２３の周面全体がボタンパネル１１０に隠れた状態（図３および４の（ａ）参照）となる。
【００４５】
なお、本実施の形態においては、ソレノイド２５０によって可動板２１０をスライドさせる構成としたが、この構成に限定するものではない。ソレノイド２５０の代わりにモーターを用いて可動板２１０をスライドさせる構成であってもよい。この構成の場合、可動板２１０のスライドの途中で止めたり、再開させたりする等自由度が高くなり、これにより煽り演出が可能である。
【００４６】
また、本実施形態において、スライド機構２００は、ボタンパネル１１０をストップボタン２１〜２３の押下方向に移動させる構成としたが、それに代えてまたはそれに加えて、ボタンパネル１１０をストップボタン２１〜２３の押下方向の反対側に移動させる構成であってもよい。また、ボタンパネル１１０をストップボタン２１〜２３の前面よりも手前側まで移動させたとき、スライド機構２００は、さらに、ボタンパネル１１０をストップボタン２１〜２３の押下方向に垂直な方向に移動させてもよい。
【００４７】
もしくは、ボタンパネル１１０における、ストップボタン２１〜２３が配される位置に対応して設けられる開口の大きさが、ストップボタン２１〜２３よりも大きい場合、スライド機構２００は、ボタンパネル１１０をストップボタン２１〜２３の押下方向に垂直な方向に移動させてもよい。
【００４８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００４９】
１  スロットマシン（回胴式遊技機）
７  清算ボタン
１０  ストップボタンスイッチユニット
２１〜２３  ストップボタン
１００  ボタンパネル部
１１０  ボタンパネル
１２１  光源
２００  スライド機構（移動機構）
２１０  可動板（可動部）
２１２  横溝
２１４  傾斜溝
２１４ａ  斜溝部分（傾斜部分）
２１４ｂ  横溝部分（水平部分）
２２０  固定ピン
２３０  摺動ピン
２５０  ソレノイド（駆動部）
【図１】
0006508083.tif 000002
【図２】
0006508083.tif 000003
【図３】
0006508083.tif 000004
【図４】
0006508083.tif 000005
【図５】
0006508083.tif 000006
【図６】
0006508083.tif 000007